(57)【要約】【課題】回転式の把持部を具備する撮像装置において、把持部のいずれの回転状態でも、把持するユーザの手で放熱ダクトを塞ぐことがなく、グリップ性が良好な撮像装置を提供すること。【解決手段】発生した熱を排熱する強制空冷機構の吸気口は、装置本体の把持部側の側面且つ、把持部の回転軸の後方に配設され、装置本体から把持部側に把持部と僅かに隙間を設けた位置まで突出し、把持部の前後幅は吸気口の高さと略等しく、吸気口は、把持部の正位置にて、把持部の回転軸方向から見た投影上覆われている。【選択図】図１１
2016134813.tif 000002
【特許請求の範囲】
【請求項１】
光学レンズと内蔵る装置本体と、
前記装置本体で発生した熱を排熱する強制空冷機構と、
前記光学レンズ光軸に垂直な方向に配設された回転軸を中心に、正位置から前後に回動する把持部とを有し、
前記強制空冷機構の吸気口は、前記前記装置本体の把持部側の側面且つ、前記把持部の回転軸の後方に配設され、前記装置本体から前記把持部側に前記把持部と僅かに隙間を設けた位置まで突出し、
前記把持部の前後幅は前記吸気口の高さと等しく、
前記吸気口は、前記把持部の正位置にて、前記把持部の回転軸方向から見た投影上覆われていることを特徴とする撮像装置。
【請求項２】
前記把持部は、前記把持部正状態における、前面の下部が切りかかれており、前面の上部に突出部が形成され、前記突出部は、前記把持部を前記突出部が上側に位置するよう回動した形態で、前記突出部にて、前記把持部の回転軸方向から見た投影上、前記吸気口覆うことを特徴とする請求項１に記載の撮像装置。
【発明の詳細な説明】
【技術分野】
【０００１】
本発明は、空冷機構を有する撮像装置に関する。
【背景技術】
【０００２】
デジタルビデオカメラやデジタルスチルカメラ等の撮像装置では、近年の小型化の要請により、撮像素子が実装された回路基板や、制御信号や画像信号を処理する電子部品が実装されたメイン回路基板の配置スペースが小さくなっている。そのため、これらの基板が密集状態で配置されている。
【０００３】
一方、高画質化に伴い、撮像素子の消費電力が大きくなり、発熱量も増大している。撮像素子は、一般的に高温になるほど性能が低下するため、撮像素子で発生した熱を放散する必要がある。また、メイン回路基板に実装された電子部品で発生した熱が撮像素子に伝わり、撮像素子の温度を上昇させてしまうことを抑制する必要がある。また、メイン回路基板に実装された電子部品で発生した熱により、メイン回路基板の素子保証温度を超えてしまうことで熱暴走を起こす問題や、外装の温度が高温となり撮影者に不快感を与えるといった問題がある。
【０００４】
そこで、撮像素子で発生した熱を効率よく放散するとともに、メイン回路基板の熱が撮像素子に伝わりにくくする仕組みを提供することを目的とし、装置本体の内部とは連通しない空気流通路を有する放熱ダクトを、撮像素子と、電子部品が実装されたメイン回路基板との間に配置する構成による、強制空冷機構を有する撮像装置が提案されている（特許文献１）。
【０００５】
また、最近では撮影時のカメラアングルの自由度を拡張するために、撮像装置を支持する把持部を回転式とし、低い位置や高い位置の被写体を無理のない姿勢で撮影可能とした撮像装置も提案されている（特許文献１）。
【先行技術文献】
【特許文献】
【０００６】
【特許文献１】特開２０１３−９３６９７号公報
【発明の概要】
【発明が解決しようとする課題】
【０００７】
強制空冷機構である放熱ダクトを内蔵した撮像装置では、放熱ダクトの吸排気口を、把持している手で塞がないよう配慮する必要がある。特に把持部周辺に吸排気口を配置しようとする場合、ユーザの把持している手で意図せず放熱ダクトの吸排気口を塞ぐという問題がある。
【０００８】
上記の特許文献１では、回転式の把持部と、放熱ダクトを有する撮像装置が示されているが、特に、把持部を前後に回転させた時、放熱ダクトの吸排気口を塞ぎやすい状態になる。すなわち、把持部を回転させた状態では、把持部回転軸方向から撮像装置を見たとき、吸排気口と把持部が投影上重なることなく露出しており、本体と把持部の隙間も大きい。そのため、撮影中意図せず、吸排気口にユーザの指がかかりえる状態となっている。吸排気口を塞がれると、放熱ダクトによる排熱能力が低下し、十分な冷却が出来ない恐れがある。
【０００９】
ところが、吸排気口と把持部を投影上重ねるため、把持部の幅を大きくすると、ユーザの手でしっかり掴むことが難しくなり、グリップ性が低下する問題がある。
【００１０】
そこで、本発明は、回転式の把持部を具備する撮像装置において、把持部のいずれの回転状態でも、グリップ性を犠牲にすることなく、グリップ性が良好な撮像装置を提供することを目的とする。
【課題を解決するための手段】
【００１１】
上記の目的を達成するために、本発明の撮像装置は、光学レンズと内蔵る装置本体と、前記装置本体で発生した熱を排熱する強制空冷機構と、前記光学レンズ光軸に垂直な方向に配設された回転軸を中心に、正位置から前後に回動する把持部と、を有し、前記強制空冷機構の吸気口は、前記前記装置本体の把持部側の側面且つ、前記把持部の回転軸の後方に配設され、前記装置本体から前記把持部側に前記把持部と僅かに隙間を設けた位置まで突出し、前記把持部の前後幅は前記吸気口の高さと略等しく、前記吸気口は、前記把持部の正位置にて、前記把持部の回転軸方向から見た投影上覆われていることを特徴とする。
【発明の効果】
【００１２】
本発明によれば、回転式の把持部を具備する撮像装置において、把持部のいずれの回転状態でも、把持するユーザの手で放熱ダクトを塞ぐことがなく、グリップ性が良好な撮像装置の提供を実現できる。
【図面の簡単な説明】
【００１３】
【図１】本実施例にかかる本体の外観斜視図
【図２】本実施例にかかる本体の外観斜視図
【図３】本実施例にかかる本体の外観斜視図
【図４】本実施例にかかる内部構造を表す分解斜視図
【図５】本実施例にかかる内部構造の要部の斜視図
【図６】本実施例にかかる内部構造を表す分解斜視図
【図７】本実施例にかかる内部構造の要部の斜視図
【図８】本実施例にかかる内部構造を表す分解斜視図
【図９】本実施例にかかる内部構造を表す分解斜視図
【図１０】本実施例にかかる本体の外観上面図
【図１１】本実施例にかかる本体の側面図
【図１２】本実施例にかかる把持部の動作を表す側面図
【図１３】本実施例にかかる本体の外観斜視図
【発明を実施するための形態】
【００１４】
以下、本発明の実施形態の一例を図面を参照して説明する。本発明の好適な一実施形態について、撮像装置に本発明を適用し、図面を参照しながら詳細に説明する。
【００１５】
尚、本実施形態での説明において、図１における矢印にて示す方向を、各々±Ｘ方向・±Ｙ方向・±Ｚ方向と定める。また、本実施形態における撮像装置において、レンズ（前玉）側から見た面（図１−Ｘ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。
【００１６】
図１は撮像装置本体１０１の主に上面構成を表す正面右側上方から見た斜視図、図２は撮像装置本体１０１の主に背面構成を表す背面左側上方から見た斜視図、図３は撮像装置本体１０１の主に底面構成を表す右側下方から見た斜視図である。
【００１７】
本図を用いて外観斜視図に表される各要素の機能を説明する。図１から図２に示す撮像装置本体１０１の正面側にはレンズ１０２が配置されている。レンズ１０２には、撮影者が回動することで撮影画像の光学的な拡大縮小を行うズームリング１０３が配置されている。また、レンズ１０２には、撮影者が回動することで、撮影画像の合焦位置を変動することができるフォーカスリング１０４が設けられている。
【００１８】
撮像装置本体１０１の右側面には、撮影者がＸ軸方向にスライド操作することで、合焦動作を行なうオートフォーカスモードと、撮影者が任意に合焦位置を操作するマニュアルフォーカスモードを切り替えるフォーカス切替スイッチ１０５が配置されている。また、表示部２０２に表示される撮像装置本体１０１のさまざま状態を示すアイコンの表示／非表示を切り替える表示切替スイッチ１０６ａ、撮像装置本体１０１がマニュアルフォーカスモードになっている場合に、撮影者が押している間だけ一時的にオートフォーカスモードに切り替えることができるＡＦスイッチ１０６ｂが配置されている。
【００１９】
また、表示切替スイッチ１０６ａ、ＡＦスイッチ１０６ｂの後方には、外部記録装置や外部表示装置などとケーブル接続を行うための接続端子を覆う、着脱式のジャックカバー部１１０が配置されている。さらに、外部通信端子５０５配置部の後方に、後述する強制空冷流路の排気口１１８が配置されており、排気口１１８は、表示部２０２のＹ方向の長さと一致する程度まで、大きく設けている。
【００２０】
図２に示す撮像装置本体１０１の左側面には、把持部回動軸８００を中心に回動可能に取り付けられた把持部８０が配置されている。把持部８０は、図２に示す把持部回動軸８００を中心とし、矢印Ａ側に９０度、矢印Ｂ側に９０度回動可能に、撮像装置本体１０１へ取り付けられている。把持部回動軸８００は、後述する強制空冷流路の吸気口１２０の前方に配置されている。吸気口１２０は、図１に示す本体右側面に配置された排気口１１８と略同一の断面積で、表示部２０２のＹ方向の長さと一致する大きさで配置している。
【００２１】
図４はカメラの主要外観カバーを非表示とし、主要部品を展開配置した斜視図である。本実施例の撮像装置の把持部８０は、後述するレンズ１０２とメイン基板５０を固定するベース部材４０５に、ヒンジ８０１を介して取り付けられている。すなわち、撮像装置本体１０１内部の構造体に対して、把持部８０がヒンジ８０１を介して取り付けられている。
【００２２】
本実施例のヒンジ８０１は、本体固定部８０２に対し把持部固定部８０３が回動可能となっている。本体固定部８０２上下に設けられた本体固定部８０２ａ、ｂをベース部材４０５に固定し、把持部固定部８０３を把持部８０に取り付けることで、撮像装置本体１０１に対して把持部８０が回動可能に構成されている。ヒンジ８０１には、本体固定部８０２と把持部固定部８０３が、図４の状態から前後にそれぞれ９０度回動した位置で当節するストッパ８０２ｃ、ｄを有しており、図４の状態で軽保持されるようクリックが設けられている。
【００２３】
また、ヒンジ８０１は、本体固定部８０２と把持部固定部８０３の間に、不図示の弾性部材を配置することによって、本体固定部８０２と把持部固定部８０３の間で、回転軸方向に摩擦力が発生する仕組みとなっている。この摩擦力によって本体固定部８０２に対して、把持部固定部８０３を、任意の回転位置で保持することが出来る構成となっている。これにより把持部８０は、図２に示すグリップ正位置から、撮像装置本体１０１に対して、矢印Ｂ、Ａで示す、前後９０度回動した状態へと回動自在のフリーストップ構造となっている。
【００２４】
撮像装置本体１０１の上面には、入力された音声信号を電気信号に変換するマイク１０８が配置されている。マイク１０８の背面方向に隣接して、フラッシュや外部マイクなどのカメラアクセサリを装着可能なアクセサリ取付部１０９が配置されている。
【００２５】
撮像装置本体１０１の背面には、撮影者が撮像画像や再生画像の表示を行う表示部２０２が配置されている。表示部２０２は撮像装置本体１０１に対して回動可能に取り付けられており、把持部８０の回転に合わせて、表示部２０２の位置を任意に変えることができるように構成されている。また、表示部２０２の底面側には、撮影者が撮影した撮影画像を記録するために着脱する記録媒体を被覆するためのカードカバー部２０３が配置されている。
【００２６】
撮影者はカードカバー部２０３上に配置されたカードカバー操作ノブ２０４を操作することで、図２に示す、記録媒体挿入口２０７が被覆されている状態であるカバー閉状態から、図３に示す、記録媒体挿入口２０７が露出している状態であるカバー開状態にし、不図示のカード状記録媒体を脱着することが可能となっている。また、底面には三脚ネジ取り付け部１１５が配置されており、撮像装置本体１０１を一般的な３脚に固定することで、長時間の撮影など安定した状態で撮影を行うことが出来るようになっている。
【００２７】
図５、図６は本発明の実施例にかかる撮像装置の内部構造を示す分解斜視図である。図５は本発明の実施例にかかる撮像装置のセンサ基板３０３周囲の構成を表す斜視図である。また、図６は撮像装置の放熱に関わる、特に前方部分の内部構造を示す分解斜視図である。
【００２８】
本実施例の撮像装置は、レンズ１０２後方のピント面に撮像素子３０１が配置されている。撮像素子３０１は受光面に結像された被写体の像を電子データに変換するものである。被写体の結像面には、不図示のＲ色、Ｇ色、Ｂ色の色のみをそれぞれ透過する色フィルタが設けられており、撮像素子３０１に入射した光を、Ｒ色、Ｇ色、Ｂ色の電子データに変換するものである。
【００２９】
図５に示すように、撮像素子３０１はセンサ基板３０３に実装され、撮像素子３０１の外周に接着材３０４を塗布することによって、センサ固定板金３０２に固定されている。センサ基板３０３には、レンズ側の面に撮像素子３０１が実装されているが、図６に示すように、センサ基板３０３の背面である撮像素子３０１実装部の対向面３０３ｂは銅箔パターンが露出した状態となっている。図５に示すように、センサ基板３０３は、センサ固定板金３０２を介してレンズ１０２にビス締結される。また、センサ基板３０３は、フレキシブルに屈曲する屈曲部３０３ｃを有しており、コネクタ３０５によって、後述するメイン基板と電気的な接続がなされる。
【００３０】
図６（ａ）は本実施例の機器の内部構成を表す前方からの分解斜視図であり、図６（ｂ）は後方からの分解斜視図である。図６に示すように、センサ基板３０３と一体となったレンズ１０２は、ベース部材４０５に固定される。ベース部材４０５は、熱伝導性の高いアルミダイキャストで形成されている。
【００３１】
図７はベース部材の構造を表した斜視図である。ベース部材４０５の形状は、レンズ１０２周囲を円弧状に囲うように形成された放熱部４０５ｅを主の形状とした、チューブ状の形状となっている。すなわち、中央部が開口した形状となっている。
【００３２】
チューブ状の形状から内側に張りだすように、レンズ１０２の固定部４０５ａ〜ｄが配置され、不図示のビスによって、レンズ１０２との締結が行われる。また、チューブ状の形状から張りだすように、把持部回動軸８００の固定部４０５ｆと、底面の三脚ネジ取り付け部１１５の固定部４０５ｇが一体的に形成されている。また、ベース部材４０５の底面側に記録媒体の放熱部４０５ｈを設け、ベース部材４０５の左右に、後述する撮像素子３０１の放熱板金の接続部４０５ｉ、ｊが設けられている。さらに、ベース部材４０５の底面側には、後述する記録媒体の放熱部４０５ｈを設けている。
【００３３】
図６に示すように、センサ基板３０３はレンズ１０２と一体化され、さらにベース部材４０５と一体化された状態でセンサ基板後方に位置するようベース部材４０５に固定される放熱板金３０６と、放熱用の弾性部材３０７を介して熱的に接続がなされる。放熱板金３０６は、銅等の熱伝導率が高い材料で形成されており、ベース部材４０５と熱的に接続がされる。本実施例では、センサ基板３０３の撮像素子３０１実装部の対向面を銅箔パターンが露出した状態としている為、撮像素子３０１の熱を効率的に放熱用の弾性部材３０７に伝達することが出来る。
【００３４】
円弧状に囲うように形成された放熱部４０５ｅの外周には、熱伝導性の高いアルミで形成された外装リング部材２０５が配設されている。
【００３５】
また、ベース部材４０５後方に固定された放熱板金３０６のさらに後方には、後述するホールド部材７０が配置され、ホールド部材７０のさらに後方はメイン基板５０が配置されている。
【００３６】
撮像素子３０１は、一般的に高温になるほど性能が低下するため、撮像素子で発生した熱を放散する必要がある。
【００３７】
本実施例の構成により、撮像素子３０１で発生した熱は、放熱用の弾性部材３０７を介して放熱板金３０６に熱伝導され、ベース部材４０５の、レンズ周囲を円弧状に囲うように形成された放熱部４０５ｅにて熱拡散されたのち、外装リング部材２０５を介して外気への熱伝達によって放熱される。また、底面のベース部材４０５の固定部４０５ｇから三脚ネジ取り付け部１１５へ熱伝導を行うことで、より放熱性を高めることが出来る。
【００３８】
図８は撮像装置のメイン基板５０の放熱に関わる、特に本体後方部分の内部構造を示す分解斜視図である。図８に示すように、センサ基板３０３の屈曲部３０３ｃがメイン基板５０に電気的に接続されている。これにより、撮像素子３０１から出力された電子データを、メイン基板５０に送信することが可能となっている。メイン基板５０の背面側には、制御ＩＣ５０１が実装されている。制御ＩＣ５０１は、ＣＰＵ(Central Processing Unit)とプログラムメモリが一体となってパッケージされている。また、メイン基板５０には、ワークメモリ５０２が実装されている。
【００３９】
制御ＩＣ５０１には、制御に必要な各種データ等が格納されており、ワークメモリ５０２は、各種の演算処理等を行う際の作業エリアとして利用される。制御ＩＣ５０１は、所定の制御プログラムをワークメモリ５０２にロードして実行することにより、自動露出演算、自動焦点調節演算、ホワイトバランス調整演算などの各種演算処理を実行し、表示部２０２にスルー画を表示させたり、記録媒体挿入口２０７に挿入された記録媒体２０６に送って記録するなどビデオカメラ全体動作を制御する。このような電気的な処理を行う際に、制御ＩＣ５０１は発熱を伴い電力を消費するため、制御ＩＣ５０１自体と、ワークメモリ５０２の放熱が必要となる。そのため本実施例の構成では、制御ＩＣ５０１と、ワークメモリ５０２の放熱の為、メイン基板５０の後方には、ダクト６０１とファン６０２から成る強制空冷流路が配置されている。
【００４０】
また、本実施例の撮像装置本体１０１は、底面側に記録媒体挿入口２０７が配置されている。記録媒体２０６は前述の記録動作時に発熱するため、図８に示すように、弾性部材４０６を介してベース部材４０５と熱的に接続することで、本体底面側に配置され記録媒体２０６の放熱を行っている。すなわち、図７に示すように、ベース部材４０５の記録媒体の放熱部４０５ｈと記録媒体挿入口２０７を、弾性部材４０６を介して接続することで、記録媒体２０６を冷却している。ベース部材４０５の記録媒体の放熱部４０５ｈは、放熱板金３０６との接続部４０５ｉ、ｊと略９０°位相をずらして配置することで、撮像素子３０１への熱の流入に配慮している。
【００４１】
図９は強制空冷流路の構成を表す分解斜視図である。図９（ａ）は、前方向から見た図である。図９（ｂ）は後方から見た図である。ダクト６０１は熱伝導性の高いアルミダイキャストで形成されている。メイン基板５０に実装された制御ＩＣ５０１とワークメモリ５０２は、放熱用弾性部材６０５ａ、ｂを介してダクト６０１に熱的に接続されている。これにより、制御ＩＣ５０１やワークメモリ５０２によるメイン基板５０の発熱を、ダクト６０１全体に熱拡散させることで、制御ＩＣ５０１と、ワークメモリ５０２の放熱を行うことが可能となっている。
【００４２】
本実施例において、ダクト６０１の後方に配置されたファン６０２は、遠心ファンである。すなわちファン６０２が動作することで、ファンの回転軸に対し垂直な面に設けられた中央の開口６０２ｂから吸気し、ファン６０２側面の長方形形状のファン排気口６０２ａから排気する構造となっている。ダクト６０１内部にはリブ６０１ｂが形成されている。また、ダクト６０１とファン６０２の間には、カバー部材６０３と、クッション部材６０４が配置され、ダクト６０１とファン６０２の間は、ファン中央の開口６０２ｂのみで空気流通路が形成するように、一体化される。
【００４３】
ダクト６０１の吸気口６０１ａは、図２に示す外装の吸気口１２０と接続され、ダクト６０１の吸気口６０１ａは、図１に示す排気口１１８と接続し、ダクト６０１とファン６０２によって形成される流路が、機器内部で独立するよう構成している。すなわち、装置本体の内部とは連通しない空気流通路を形成している。ダクト６０１内部にはリブ６０１ｂが形成されており、制御ＩＣ５０１の発熱をダクト６０１全体に熱拡散させた後、熱をリブ６０１ｂから強制空冷流路を流れる空気に伝達し、温まった空気を撮像装置本体１０１から外部に排熱する。これにより、本実施例の強制空冷流路は、ファン６０２の回転により、ダクト６０１の吸気口６０１ａから外気を吸気し、ファン排気口６０２ａから排気を行うものとなっている。また、ファン排気口６０２ａを撮像装置本体１０１の右側面に向けることで、グリップ時、左の手のひらで把持する部分である、本体右側面側の最も後方にファン排気口６０２ａを配置する構成としている。
【００４４】
次に、本実施例の把持部８０の形状について説明を行う。図１０は本実施例の撮像装置の上面図である。図１０に示すように本実施例の撮像装置では、撮像装置本体１０１に対して把持部８０が離間して配置されており、把持部８０の後端と回転軸部８１の間に、吸気口１２０を配置している。本実施例では、グリップ時に暖められた空気が、ユーザによる把持している手に当たることを避けるため、把持部８０側に吸気口１２０を配置している。
【００４５】
吸気口１２０は撮像装置本体１０１に対して、把持部８０側であるＺ方向に突出しており、把持部８０と吸気口１２０の隙間９０１は、ユーザの指が入らない程度の小さな隙間に設定している。それに対して、吸気口１２０前方の撮像装置本体１０１と把持部８０の隙間９０２は、ユーザの指が十分はいる程度十分広く設定されている。
【００４６】
図１１は本実施例の撮像装置の把持部８０側から見た側面図である。特に図１１（ａ）は、便宜上の構成として、把持部８０が無い状態を表している。また、図１１（ｂ）には、図１１（ａ）に示す吸気口１２０の投影上の位置を、破線にて示してある。
【００４７】
まず、本実施例の吸気口１２０に関して説明を行う。図１１（ａ）に示すように、吸気口１２０は、表示部２０２のＹ方向の高さと一致したＢとしており、把持部の回転軸部８１に隣接して後方に配置している。特に、本実施例の吸気口１２０は、把持部回動軸８００から吸気口１２０上側までのＹ方向の距離をＢ１とし、把持部回動軸８００から吸気口１２０下側までの距離をＢ２とした時、Ｂ１＞Ｂ２となるよう吸気口１２０を、把持部回動軸８００に対して上側にオフセットして配置されている。また、把持部回動軸８００から吸気口１２０までのＸ方向の距離はＣとし、把持部の回転軸部８１で、吸気口１２０を上下に分割することなく広い範囲の開口を確保している。
【００４８】
図１２は本実施例の撮像装置本体１０１を、把持部回動軸８００方向から見た図である。把持部８０は、図１２（ａ）に示す正状態から、前方に９０度倒れた図１２（ｂ）と、後方に９０度倒れた図１２（ｃ）に示す状態に回動可能となっている。図１２には、撮像装置本体１０１に設けた吸気口１２０の位置を破線で示している。
【００４９】
次に、本実施例の把持部８０の形状に関して説明を行う。図１１（ｂ）に示すように、把持部８０は、把持部回動軸８００を中心にして、最大幅が略等しく設定されている。すなわちＡ１＝Ａ３と設定されている。この時把持部８０の全幅Ａ＞吸気口１２０の大きさＢとなっており、吸気口１２０に対して把持部８０は大きく設定している。
【００５０】
図１０に示すように、本実施例では、吸気口１２０が、把持部８０側であるＺ方向に突出しており、把持部８０と吸気口１２０の隙間９０１は、ユーザの指が入らない程度の小さな隙間に設定している。図１１（ｂ）に示す、把持部８０の正状態では、吸気口１２０は、把持部８０に投影上覆われており、把持部回動軸８００方向である図１１（ｂ）の側面から見えない位置に配置されている。
【００５１】
このように、把持部８０の突出部８０４が、投影上吸気口１２０を覆うため、ユーザによって誤って吸気口１２０を塞ぐ恐れがない。それに対して、吸気口１２０前方の撮像装置本体１０１と把持部８０の隙間９０２は、ユーザの指が十分はいる程度十分広く設定されている。これにより、把持部８０前面側は、ユーザの指が、撮像装置本体１０１にぶつかることなく、しっかり把持することができる。
【００５２】
ここで、本実施例の把持部８０は、前方の下側を把持部回動軸８００中心側に凹させ、把持部回動軸８００からＡ２の距離となるようにしている。その結果、把持部の前面に対して前方に突出した突出部８０４が形成され、把持時にユーザの人差し指を突出部８０４にかけ、しっかりとしたグリップが可能となっている。また、把持部８０のつかみこむ範囲が小型化し、小さな手のユーザでもグリップが可能となっている。
【００５３】
また、特に把持部回動軸８００から突出部８０４の下端までのＹ方向の距離はＥとしている。また、突出部８０４の下端までの距離Ｅは、把持部回動軸８００から吸気口１２０までのＸ方向の距離Ｃと略等しく設定されている。また、把持部回動軸８００から把持部８０の突出部８０４前端までの距離Ａ３は、把持部回動軸８００から吸気口１２０上側までの距離をＢ１と略等しく設定されている。また、図１１（ｂ）に示す把持部回動軸８００から把持部８０後端までの距離Ａ１は、把持部回動軸８００から吸気口１２０上側までの距離をＢ１と略等しく設定されている。図１１（ｂ）に示す把持部回動軸８００から把持部８０前端までの距離Ａ２は、把持部回動軸８００から吸気口１２０下側までの距離をＢ２と略等しく設定されている。すなわち本実施例の把持部８０は、Ａ１＝Ａ３＝Ｂ１となっており、Ａ２＝Ｂ２、Ｃ＝Ｅの位置関係となっている。
【００５４】
これにより、図１２に示すように、本実施例の吸気口１２０は、把持部８０によって、前方に倒した図１２（ｂ）の状態、後方に倒した図１２（ｃ）の状態のいずれでも  把持部回動軸８００方向から見えない位置に配置される。
【００５５】
図１３は図１２（ｃ）に示す把持部８０を後方に倒した状態を、後方から見た斜視図である。本実施例の構成によると、吸気口１２０は撮像装置本体１０１に対して、把持部８０方向に突出させ、把持部８０と吸気口１２０の隙間９０１は、ユーザの指が入らない程度の大きさとなるように設定し、吸気口１２０前方の撮像装置本体１０１と把持部８０の隙間９０２は、ユーザの指が十分はいる程度広く設定されている。これにより、把持部８０を後方に倒した状態においても、ユーザの指が、撮像装置本体１０１の上面にぶつかることなく、しっかり把持することができる。また、把持部８０の突出部８０４が、投影上吸気口１２０を覆うため、ユーザによって誤って吸気口１２０を塞ぐ恐れがない。
【００５６】
これにより、回転する把持部８０を有する撮像装置において、いずれの回転状態においても、ユーザの把持している手によって誤って吸気口１２０を塞ぐ恐れがなく、ダクト６０１の放熱性能を維持することが出来る。
【００５７】
このように構成することによって、回転式の把持部を具備する撮像装置において、把持部のいずれの回転状態でも、グリップ性を犠牲にすることなく、把持するユーザの手で放熱ダクトの排気口を塞ぐことがない撮像装置の提供が可能となる。
【００５８】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００５９】
１０１  撮像装置本体、１０２  レンズ、１０３  ズームリング、
１０４  フォーカスリング、１０５  フォーカス切替スイッチ、
１０６ａ  表示切替スイッチ、１０６ｂ  ＡＦスイッチ、１０８  マイク、
１０９  アクセサリ取付部、１１０  ジャックカバー部、１１５  三脚ネジ取り付け部、
１１８  排気口、１２０  吸気口、２０２  表示部、２０３  カードカバー部、
２０４  カードカバー操作ノブ、、２０５  外装リング部材、２０６  記録媒体、
２０７  記録媒体挿入口、３０１  撮像素子、３０２  センサ固定板金、
３０３  センサ基板、３０３ｃ  屈曲部、３０４  接着材、３０５  コネクタ、
３０６  放熱板金、３０７  放熱用の弾性部材、４０５  ベース部材、４０５  固定部、
４０５ｅ  円弧状に囲うように形成された放熱部、４０５ｆ  固定部、
４０５ｇ  固定部、４０５ｈ  記録媒体の放熱部、４０５ｉ  接続部、
４０６  弾性部材、５０  メイン基板、５０１  制御ＩＣ、５０２  ワークメモリ、
５０５  外部通信端子、６０１  ダクト、６０１ａ  吸気口、６０１ｂ  リブ、
６０２  ファン、６０２ａ  ファン排気口、６０２ｂ  中央の開口、
６０３  カバー部材、６０４  クッション部材、６０５  放熱用弾性部材、
７０  ホールド部材、７０１  外部通信端子保護部、７０２  断熱部、
７０３  ビス締結部、８０  把持部、８００  把持部回動軸、８０１  ヒンジ、
８０２  本体固定部、８０２  ストッパ、８０３  把持部固定部、８０４  突出部、
８１  回転軸部、９０１  隙間、９０２  隙間
【図１】
2016134813.tif 000003
【図２】
2016134813.tif 000004
【図３】
2016134813.tif 000005
【図４】
2016134813.tif 000006
【図５】
2016134813.tif 000007
【図６】
2016134813.tif 000008
【図７】
2016134813.tif 000009
【図８】
2016134813.tif 000010
【図９】
2016134813.tif 000011
【図１０】
2016134813.tif 000012
【図１１】
2016134813.tif 000013
【図１２】
2016134813.tif 000014
【図１３】
2016134813.tif 000015